(57)【特許請求の範囲】
【請求項１】
帯状の可撓性腕帯を筒状に丸め、その筒状に形成された可撓性腕帯の周囲に、一端が前記可撓性腕帯の外周面に固定されて前記外周面に沿って巻き掛けられた締付けベルトと、
前記可撓性腕帯の一部に接合され、前記締付ベルトを送ることで前記可撓性腕帯を締め付ける締付機構とを備え、
前記可撓性腕帯の周方向の所定の位置に接合部が設けられているとともに、前記締付機構に被接合部が設けられ、
前記接合部と前記被接合部とは互いに着脱可能に形成されていることを特徴とする血圧計用腕帯。
【請求項２】
前記接合部は、前記可撓性腕帯の周方向の互いに異なる位置に複数設けられていることを特徴とする請求項１に記載の血圧計用腕帯。
【請求項３】
前記接合部と前記被接合部とは、互いに接合された状態で相対的に回動可能であることを特徴とする請求項１または２に記載の血圧計用腕帯。
【請求項４】
前記接合部は、前記筒状に丸められた可撓性腕帯のうち、前記可撓性腕帯の径を縮小させた状態において前記筒状の内周面側に重なり合う外周面の領域に設けられ、
前記締付機構は、その締付機構の本体を前記筒状の外周面側に配置し、前記被接合部を前記筒状の内周面側に配置する、前記筒状の可撓性腕帯のうち前記筒状の外周面側の部分を跨ぐ形状の支持部材を備えたことを特徴とする請求項１から３のうちいずれか１項に記載の血圧計用腕帯。
【請求項５】
前記各接合部は、前記筒状の周方向に沿って前記筒状の巻きの内周から外周に向かう向きに突出した折返し部が形成され、
前記被接合部は、前記折返し部に引っ掛けられる引掛け部が形成されていることを特徴とする請求項２から４のうちいずれか１項に記載の血圧計用腕帯。
【請求項６】
前記締付ベルトは、前記筒状の周方向に沿ったラックと、前記周方向に直交する方向に延び、かつ前記周方向に沿って配列された複数の突条とが形成されているとともに、外方に露出する表面が平滑に形成され、前記可撓性腕帯に対向する裏面のうち前記締付ベルトの縁部に前記ラックが形成され、前記可撓性腕帯に対向する裏面のうち前記締付ベルトの縁部よりも幅方向の内側部分に、前記ラックに連なって延びるように、前記突条が形成されていることを特徴とする請求項１から５のうちいずれか１項に記載の血圧計用腕帯。
【請求項７】
前記突条に係合する係合位置と前記突条から離れた解除位置との間を移動可能とされ前記係合位置に付勢された係合部を有する係合・解除機構を備え、
前記締付機構は前記ラックに噛み合うピニオンギヤを有することを特徴とする請求項６に記載の血圧計用腕帯。
【発明の詳細な説明】
【技術分野】
【０００１】
本発明は血圧計用腕帯に関し、詳細には、ダイヤルを回して締付けベルトを送ることにより、その径が拡縮される血圧計用腕帯に関する。
【背景技術】
【０００２】
矩形帯状の可撓性腕帯を筒状に丸め、その筒状に形成された腕帯の周囲に、ラックが形成された締付けベルトを巻き付け、締付けベルトのラックと噛み合うピニオンギヤの付いたダイヤル（短円筒状のつまみ）を回して、この締付けベルトを腕帯の周方向に送ることで、筒状に丸められた腕帯の径を縮小させ、また、締付けベルトの送り量（ダイヤルの回転量）を加減することで、径の縮小量を調整し、これにより、腕帯の径を被検者の腕の太さに適合させるように構成されたダイヤル式の血圧計用腕帯が提案されている（特許文献１）。
【０００３】
上記特許文献１に示された血圧計用腕帯によれば、径が拡げられた状態の腕帯に腕を通してダイヤルを回すだけの操作で、腕帯の径を腕の太さに適したものとすることができるため、装着の操作性を容易にしている。
【先行技術文献】
【特許文献】
【０００４】
【特許文献１】特開２００７−２６０２９３号公報
【発明の概要】
【発明が解決しようとする課題】
【０００５】
ところで、上述した血圧計用腕帯は、不特定の被検者に使用されることが想定されているが、例えば、手首や前腕部にギブスをしていたり、吊っていたり、あるいは他の理由で肘を真っ直ぐに伸ばせない状態にある被検者に対しては、筒状の腕帯を被検者の上腕部まで通すことが困難であり、そのような被検者には実質的に使用することができない、という問題がある。
【０００６】
本発明は上記事情に鑑みなされたものであって、手首や前腕部にギブスをしていたり、肘を真っ直ぐに伸ばせない被検者など、手先から通すことが困難な状況においても使用することができる血圧計用腕帯を提供することを目的とする。
【課題を解決するための手段】
【０００７】
本発明に係る血圧計用腕帯は、帯状の可撓性腕帯を筒状に丸めて、その外周面に沿って巻き掛けられた締付けベルトを送る締付機構に設けられた被接合部を、可撓性腕帯に設けられた接合部に対して着脱可能としたことにより、筒状に丸められた可撓性腕帯を両端が開いた帯状に戻し、この状態で腕に巻き付けて、その状態で接合部と被接合部とを再度接合することで、手首や前腕部にギブスをしていたり、肘を真っ直ぐに伸ばせない被検者に対しても、手先から通すことなく使用可能としたものである。
【０００８】
すなわち、本発明に係る血圧計用腕帯は、帯状の可撓性腕帯を筒状に丸め、その筒状に形成された可撓性腕帯の周囲に、一端が前記可撓性腕帯の外周面に固定されて前記外周面に沿って巻き掛けられた締付けベルトと、前記可撓性腕帯の一部に接合され、前記締付ベルトを送ることで前記可撓性腕帯を締め付ける締付機構とを備え、前記可撓性腕帯の周方向の所定の位置に接合部が設けられているとともに、前記締付機構に被接合部が設けられ、前記接合部と前記被接合部とは互いに着脱可能に形成されていることを特徴とする。
【０００９】
このように構成された本発明に係る血圧計用腕帯によれば、締付機構により締付ベルトは送られるが、締付ベルトの一端は腕帯に固定され、かつ締付機構は腕帯に接合されているため、締付ベルトが送られることによって、締付機構に対して締付ベルトの一端が近づいて筒状の周長が短くなり、これにより、可撓性腕帯の径を縮小することが可能となる。
【００１０】
ここで、可撓性腕帯の周方向の所定位置に設けられた接合部と、締付機構の被接合部とは、互いに着脱可能であるため、被接合部を接合部と接合することで、上述した帯状の可撓性腕帯を筒状に丸めた状態とすることができ、一方、被接合部を接合部から外して接合部に接合しない状態としたときは、可撓性腕帯は、閉じた筒状に維持されることがないため、筒状に形成される以前の、両端が開いた帯状に戻すことができる。
【００１１】
これにより、筒状のままで手先から腕に通すことが困難な状況（例えば、手首や前腕部にギブスをしていたり、肘を真っ直ぐに伸ばせない状態等）でも、血圧測定に供することができる。
【００１２】
本発明に係る血圧計用腕帯においては、前記接合部は、前記可撓性腕帯の周方向の互いに異なる位置に複数設けられていることが好ましい。
【００１３】
このように好ましい構成の血圧計用腕帯によれば、可撓性腕帯の周方向の互いに異なる位置にそれぞれ設けられた接合部と、締付機構の被接合部とは、互いに着脱可能であり、被接合部は、複数の接合部のうちいずれとも接合することが可能であるため、被接合部を複数の接合部のうちいずれか一つと接合することで、上述した帯状の可撓性腕帯を筒状に丸めた状態とすることができ、一方、被接合部を接合部から外して、いずれの接合部にも接合しない状態としたときは、可撓性腕帯は閉じた筒状に維持されることがないため、筒状に形成される以前の、両端が開いた帯状に戻すことができる。
【００１４】
また、接合部は、可撓性腕帯の周方向の互いに異なる位置に設けられているため、被接合部が選択的に接合される接合部に応じて、可撓性腕帯の周方向における締付機構の接合位置が変化し、これによって、締付機構の位置と締付ベルトの固定された一端との間の距離が段階的に変化する。
【００１５】
すなわち、被接合部が選択的に接合される接合部に応じて、筒状の可撓性腕帯の初期的な径が段階的に変化する。
【００１６】
したがって、初期的な径からの締付機構に対する操作量が同じであっても、操作後の腕帯の径は異なるものとなる。
【００１７】
よって、腕の太さの違いに応じて、被接合部を接合する接合部を選択することで、初期的な径からの、締付機構に対する操作量を少なくしても、腕の太さの違いに適切に適合させることができる。
【００１８】
つまり、血圧計用腕帯は不特定の被検者に使用されることが想定されているが、被検者の腕の太さは様々であるから、締付けベルトの送り量（ラックとピニオンギヤとのかみ合わせで送る形態のものにあっては、ラックの長さ）も、その腕の太さの違いを考慮して、比較的長く設定しておく必要がある。
【００１９】
一方、血圧の測定が完了した後の腕帯は、この腕帯を腕から簡単に取り外せるように、例えばリリースレバー（保持・解除機構）を設けたもののように、そのリリースレバーを押すだけの簡単な操作で締付けベルトが初期状態まで戻るように構成されていると、次に使用する被検者の腕が細い場合は、その腕の径に適合させるための締付けベルトの必要な送り量が長くなり、それだけ長い送り量を得るための締付機構に対する操作量も多くする必要があり、操作する使用者に煩わしさを感じさせることがある。
【００２０】
特に、この腕帯を使用する被検者が特定の人に限られているような家庭内での使用の場合は、使用の都度、締付機構の操作量が多いと、使用者に強いる負担が大きい。
【００２１】
また、医療現場においても、腕の細い被検者が連続する場合は、家庭内での使用の場合と同様のことが起こり得る。
【００２２】
しかし、本発明の好ましい血圧計用腕帯によれば、腕の太さの如何に拘わらず締付のための操作量を減らすことができる。
【００２３】
本発明に係る血圧計用腕帯においては、前記接合部と前記被接合部とは、互いに接合された状態で相対的に回動可能であることが好ましい。
【００２４】
このように好ましい構成の血圧計用腕帯によれば、その接合部と被接合部とが相対的に回動することで、腕帯が、その中心軸に沿ったいずれの位置における断面の面積も略等しい筒状だけではなく、その中心軸に沿った位置における断面の面積がその切断位置に応じて変化するような、円錐台状の筒状にも形作られ、したがって、被検部である上腕部等の肩側と前腕部側とで、その径が異なるような被検体に対しても、その筒状の形態を適正なものとすることができる。
【００２５】
なお、接合部と被接合部とが互いに接合された状態で相対的に回動可能な構成としては、接合状態の両者が、可撓性腕体の面内で回動可能な構造（構成）であればよく、例えば、一方が可撓性腕体の面から突出した突部であり、他方がこの突部に緩く（両者間の摩擦力が、互いに回動し得る程度に低減されている緩さを意味する）引っ掛けられる環状や半円の環状に形成された引掛け部などとからなる構造（構成）など、これに類する種々の構造（構成）を適用することができる。
【００２６】
本発明に係る血圧計用腕帯においては、前記接合部は、前記筒状に丸められた可撓性腕帯のうち、前記可撓性腕帯の径を縮小させた状態において前記筒状の内周面側に重なり合う外周面の領域に設けられ、前記締付機構は、その締付機構の本体を前記筒状の外周面側に配置し、前記被接合部を前記筒状の内周面側に配置する、前記筒状の可撓性腕帯のうち前記筒状の外周面側の部分を跨ぐ形状の支持部材を備えたものであることが好ましい。
【００２７】
このように好ましい構成の血圧計用腕帯によれば、使用者の操作に供される部分である締付機構を、操作が行い易い外方に配置することができるとともに、筒状の内周側に配置された接合部に被接合部を確実に接合し、あるいは接合の解除を確実に行うことができる。
【００２８】
本発明に係る血圧計用腕帯においては、前記各接合部は、前記筒状の周方向に沿って前記筒状の巻きの内周から外周に向かう向きに突出した折返し部が形成され、前記被接合部は、前記折返し部に引っ掛けられる引掛け部が形成されていることが好ましい。
【００２９】
このように好ましい構成の血圧計用腕帯によれば、血圧測定に供する際に、腕帯の径を小さくする方向に締付ベルトを送るときは、折返し部と引掛け部とが係合して、接合部と被接合部とを接合した状態とすることができる一方、血圧測定が完了して、腕帯の径を大きくする方向に締付ベルトを送るときは、折返し部と引掛け部との係合が外れ易くなり、接合部と被接合部との接合を解除し易くすることができ、次の血圧測定操作への準備に供し易い。
【００３０】
本発明に係る血圧計用腕帯においては、前記締付ベルトは、前記筒状の周方向に沿ったラックと、前記周方向に直交する方向に延び、かつ前記周方向に沿って配列された複数の突条とが形成されているとともに、外方に露出する表面が平滑に形成され、前記可撓性腕帯に対向する裏面のうち前記締付ベルトの縁部に前記ラックが形成され、前記可撓性腕帯に対向する裏面のうち前記締付ベルトの縁部よりも幅方向の内側部分に、前記ラックに連なって延びるように、前記突条が形成されていることが好ましい。
【００３１】
このように好ましい構成の血圧計用腕帯によれば、締付ベルトのラックと突条とが、締付ベルトの幅方向に沿って連なるように形成されているため、締付ベルトの突条間およびラック間にそれぞれ形成された薄肉部が締付ベルトの幅方向に沿って一直線上に形成され、この薄肉部はラックや突条よりも剛性が低いため、締付ベルトをその長手方向（幅方向に対して略直交する方向）について巻いたとき、小さな径に丸めることができ、その占有スペースを小さくすることができる。
【００３２】
また、外方に露出する表面が平滑に形成されているため、外方から付着する汚れが、その平滑な表面に残留したり堆積しにくいため清潔を維持しやすいとともに、平滑な表面は拭き取りも行い易いため、表面に汚れ等が付着した場合であっても、表面に凹凸が有るものに比べて、拭き取り清掃の労力を少なくすることができる。
【００３３】
本発明に係る血圧計用腕帯においては、前記突条に係合する係合位置と前記突条から離れた解除位置との間を移動可能とされ前記係合位置に付勢された係合部を有する係合・解除機構を備え、前記締付機構は前記ラックに噛み合うピニオンギヤを有するものであることが好ましい。
【００３４】
このように好ましい構成の血圧計用腕帯によれば、締付ベルトの突条には、係合位置（突条に係合する位置）に付勢された係合部が係合することで、係合部が付勢力に抗して突条から離れた解除位置に移動されるまでは、可撓性腕帯の径を縮小した状態で保持することができるため、血圧の測定時に、腕体に空気が供給されて腕体が膨らみ、筒状の周方向に沿って、径が拡がる方向の荷重が作用しても、腕体の径を維持して適切な血圧測定を行うことができる。
【００３５】
一方、不勢力に抗して係合部を解除位置に移動させることで、腕体自体の弾性復元力などにより、筒状の径が拡げられ、これによって腕等の被検部に対する締付けを解除し、被検部を腕体から容易に離脱させることができる。
【００３６】
なお、本発明に係る血圧計用腕帯においては、前記係合・解除機構は、前記締付機構とともに前記筒状の外周面側に配置されるように、前記支持部材に支持されているものであってもよい。
【００３７】
このように構成された血圧計用腕帯によれば、係合・解除機構と締付機構とを支持部材を介して間接的に一体的に構成することができるため、締付の操作が入力される部分と締付けを解除する操作が入力される部分とを近接して配置することができ、操作部分を一ヶ所に集中させた構造とすることができる。
【００３８】
また、本発明に係る血圧計用腕帯においては、前記係合・解除機構は、前記締付機構と一体的に設けられているものであってもよい。
【００３９】
このように構成された血圧計用腕帯によれば、係合・解除機構と締付機構とを直接的に一体化することができるため、係合・解除機構と締付機構とを直接的に一体化して、部品点数を削減することができる。
【発明の効果】
【００４０】
本発明に係る血圧計用腕帯によれば、筒状のままで手先から腕に通すことが困難な状況（例えば、手首や前腕部にギブスをしていたり、肘を真っ直ぐに伸ばせない状態等）でも、血圧測定に供することができる。
【図面の簡単な説明】
【００４１】
【図１】本発明の一実施形態としての血圧計用腕帯を示す斜視図（展開状態）である。
【図２】図１に示した血圧計用腕帯を筒状に丸めた状態の斜視図である。
【図３】締付ベルトを示す図であり、（ａ）は外方に向いた表（おもて）面、（ｂ）は腕帯に向いた裏面、（ｃ）は（ａ）の矢視Ｃによる側面、（ｄ）は丸めた状態での（ｃ）相当の側面、をそれぞれ示す。
【図４】締付機構の詳細を、腕帯に向いた面側から視た図である。
【図５】図２の矢視Ｂによる図であり、（ａ）は接合部と被接合部との接合前の状態、（ｂ）は接合部と被接合部との接合後の状態、をそれぞれ示す。
【図６】図５相当の図であり、実線はダイヤル撮みを操作して筒状の径を縮めた状態、二点鎖線はリリースレバーを操作して筒状の径を拡大した状態（径を縮める前の状態）、をそれぞれ示す。
【発明を実施するための形態】
【００４２】
以下、本発明の血圧計用腕帯に係る実施形態について、図面を参照して説明する。
【００４３】
図１，２は、本発明の一実施形態にかかる血圧計用腕帯１００を示す図であり、図１は略矩形帯状の血圧計用腕帯１００の展開した状態を示す図、図２は図１に示した血圧計用腕帯１００を筒状に丸めた状態を示す図である。
【００４４】
図示の血圧計用腕帯１００は、略矩形帯状に形成された可撓性の腕帯（以下、単に腕帯という。）１０と、この腕帯１０の長手方向Ｌに沿って配設された締付ベルト２０と、この締付ベルト２０の長手方向（腕帯１０の長手方向Ｌと一致）に沿って移動可能とされた締付機構３０と、締付ベルト２０と締付機構３０との相対的な位置関係の保持または保持の解除を切り替える係合・解除機構４０と、締付機構３０を腕帯１０に着脱可能に接合させる接合部５０とを備えている。
【００４５】
ここで、腕帯１０は、内部に芯材として樹脂等の可撓性材料により略矩形帯状に形成された薄平板１３と、この薄平板１３に重ねられた、エアホース接続部１９から空気が供給されることによって膨らむ空気袋１４とを織布１５で包み込んでなるものであり、図２に示すように、腕帯１０の長手方向Ｌの一方の端部１１が内周側に、他方の端部１２が外周側となるように、この腕帯１０を丸めて筒状に形成し、その内周と外周との重なり範囲の長さを調整することで、筒状の径Ｄを調整することができるものとなっている。つまり、重なり範囲の長さを長くするにしたがって径Ｄを小さくすることができる。
【００４６】
なお、筒状に形成された腕帯１０は、展開状態における長手方向Ｌが筒状の周方向に一致するので、以下、周方向についても符号Ｌを付して説明する。
【００４７】
締付ベルト２０は、その長手方向の両端部２１，２２が腕帯１０の外周面に固定され、この両端部２１，２２以外の中間部分は、腕帯１０の外周面には固定されていない浮いた状態で設けられている。
【００４８】
この両端部２１，２２のうち、一方の端部２２は、腕帯１０の端部１２の近傍に固定されており、他方の端部２１は、腕帯１０の長手方向Ｌの中央部付近に固定されている。
【００４９】
なお、締付ベルト２０は、腕帯１０の長手方向Ｌの中央寄りの端部２１のみが腕帯１０に固定されていれば、腕帯１０の端部１２近傍の端部２２は必ずしも腕帯１０に固定されていなくてもよいが、この端部２２が固定されていないものでは、腕帯１０が筒状に形成されて締付ベルト２０がこの腕帯１０の外周面に沿って巻き掛けられた状態において、締付ベルト２０の姿勢が安定せず、固定された側の端部２１に過度の負担が掛かって耐久性が低下するため、両端部２１，２２ともに腕帯１０に固定されていることが好ましい。
【００５０】
また、この締付ベルト２０は、図３（ａ）に示すように、外方に露出する表（おもて）面２０ａが平滑に形成され、同図（ｂ）に示すように、腕帯１０に対向する面である裏（うら）面２０ｂのうち締付ベルト２０の長手方向Ｌに沿った縁部に長手方向Ｌに沿ってラック２３が形成され、裏面２０ｂのうちラック２３が形成された縁部よりも幅方向Ｗの内側部分に、周方向Ｌに略直交する方向（幅方向Ｗ）に延び、かつその周方向Ｌに沿って配列された複数の突条２４が形成されている。
【００５１】
そして、各突条２４は幅方向Ｗに沿って各ラック２３に連なるように延びている。
【００５２】
締付機構３０は、図４に示すように、締付ベルト２０の裏面２０ｂの縁部に形成されたラック２３に対して締付ベルト２０の縁部外側から噛み合うピニオンギヤ３１と、このピニオンギヤ３１を回転させる、ピニオンギヤ３１と同軸に設けられた短円柱状のダイヤル撮み３２と、ピニオンギヤ３１を図４の反時計回りに回転させたとき、その回転角度に応じた、図示時計回り方向への弾性復元力を発生させる弦巻バネ３４とを備えた構成であり、ダイヤル撮み３２を方向Ｒに回転させることでピニオンギヤ３１を回転させると、ラック２３とピニオンギヤ３１との噛み合いにより、締付機構３０が締付ベルト２０に対して相対的に、締付ベルト２０の長手方向Ｌに沿って直線変位するとともに、その変位した位置においては、弦巻バネ３４による弾性復元力が作用する。
【００５３】
そして、締付機構３０が締付ベルト２０に対して相対的に、締付ベルト２０の長手方向Ｌに沿って直線変位することにより、腕帯１０の内周と外周との重なり範囲の長さが調整され、これにより腕帯１０の筒状の径Ｄが調整される。
【００５４】
また、締付機構３０は、締付ベルト２０の裏面２０ｂ側を通って締付ベルト２０の幅方向Ｗの動きを規制するとともにピニオンギヤ３１を回転自在に軸支する基台３３と、この基台３３に固定されて、腕帯１０がその内側空間を通過可能の略矩形環状に形成された支持部材６０とを備えている。
【００５５】
ここで、基台３３は締付ベルト２０の裏面２０ｂ側に渡されていて、ダイヤル撮み３２は締付ベルト２０の表面２０ａを外方から覆うように設けられているため、締付機構３０は、腕帯１０に両端部２１，２２が固定された締付ベルト２０から外れることはなく、したがって、腕帯１０から脱落することもない。
【００５６】
支持部材６０は、筒状とされた腕帯１０の外周面となる表面側を通過する部分で基台３３を保持し、この腕帯１０の表面側から裏面側へ腕帯１０を跨ぎ、腕帯１０の内周面となる裏面側を通過する部分には、腕帯１０に備えられた３つの接合部５０（第１接合部５１、第２接合部５２および第３接合部５３）のそれぞれと接合可能の、略Ｕ字形状の被接合部６１が形成されている。
【００５７】
この被接合部６１の略Ｕ字形状は、腕帯１０の端部１２側に突出する形態を呈している。そして、この被接合部６１が、後に詳述する接合部５１，５２，５３のうちいずれか１つに接合されることにより、締付機構３０は腕帯１０に接合された状態となる。
【００５８】
係合・解除機構４０は、締付ベルト２０の裏面２０ｂに形成された突条２４に腕帯１０の側から係合する係合位置と、突条２４から腕帯１０の側に離れた解除位置との間を移動可能とされ、弦巻バネ４３の弾性力により係合位置に付勢された係合爪４２（係合部）と、弦巻バネ４３の弾性力に抗して係合爪４２を解除位置に変位させるリリースレバー４１とを有し、弦巻バネ４３係合爪４２およびリリースレバー４１は、締付機構３０の基台３３に軸支された軸４４を介して、基台３３に取り付けられており、係合・解除機構４０と締付機構３０とは直接的に一体化されている。
【００５９】
なお、図示は略したが、図４において突条２４の右側壁面（端部２２に近い側の壁面）は斜めに傾斜した面に形成され、一方、突条２４の左側壁面（端部２１に近い側の壁面）は略垂直に立ち上がった面に形成されている。
【００６０】
そして、係合・解除機構４０の係合爪４２は、この係合爪４２よりも端部２１に近い側に配置されている軸４４周りに回動するため、締付機構３０が締付ベルト２０に対して図４の左方向に直線変位する際は、係合爪４２が突条２４の右側壁面である斜面に乗り上げるが、この斜面からの反力が弦巻バネ４３の弾性力に抗して、係合爪４２を、突条２４を乗り越えさせるように作用し、この結果、リリースレバー４１を操作しなくても、係合爪４２が阻害することなく、締付機構３０は締付ベルト２０に対して図４の左方向に直線変位する。
【００６１】
一方、締付機構３０が締付ベルト２０に対して図４の右方向に直線変位する際は、係合爪４２が突条２４の左側壁面である略垂直に突き当たるため、リリースレバー４１を操作して係合爪４２を解除位置に移動させた状態としない限り、締付機構３０は締付ベルト２０に対して図４の右方向に変位することはない。
【００６２】
したがって、締付機構３０のダイヤル撮み３２を回転させて変位した位置、すなわち締付機構３０が締付ベルト２０に対して図４の左方向に直線変位した位置において、ピニオンギヤ３１およびダイヤル撮み３２が、ダイヤル撮み３２を回転させる以前の位置まで戻そうとする締付機構３０の弦巻バネ３４の弾性復元力に対して、係合・解除機構４０の係合爪４２と締付ベルト２０の突条２４との間に作用する係合力が釣り合って、締付機構３０は、リリースレバー４１が操作されない限り、図４の左方向に直線変位した位置に保持される。
【００６３】
３つの接合部５０はそれぞれ、腕帯１０の外周面における、周方向の互いに異なる所定位置に設けられており、この３つの接合部５０のうち第１接合部５１は、３つの接合部５０のうち腕帯１０の端部１１に最も近い位置（締付機構３０から最も遠い位置）Ｌ１に設けられ、第３接合部５３は、３つの接合部５０のうち腕帯１０の端部１１から最も遠い位置（締付機構３０に最も近い位置）Ｌ３に設けられ、第２接合部５２は、第１接合部５１と第３接合部５３との間の位置Ｌ２に設けられている。
【００６４】
また、各接合部５１，５２，５３は、腕帯１０の長手方向Ｌの一方の端部１１を内周側に、他方の端部１２を外周側とするように、この腕帯１０を丸めて筒状に形成した状態（図２および図５（ｂ）参照）において、この筒状の周方向Ｌであって筒状の巻きの内周から外周に向かう向きに突出した折返し部５１ａ，５２ａ，５３ａが形成され、これら各折返し部５１ａ，５２ａ，５３ａに、支持部材６０の略Ｕ字形状を呈した被接合部６１が引っ掛けられて、いずれかの接合部５１，５２，５３と被接合部６１とが接合され、これによって腕帯１０と締付機構３０とが接合される。
【００６５】
なお、略Ｕ字形状の被接合部６１は、接合部５１，５２，５３の折返し部５１ａ，５２ａ，５３ａに引っ掛けられる引掛け部を構成している。
【００６６】
また、これら各接合部５１，５２，５３と被接合部６１とは、それぞれ着脱可能であり、いずれかの接合部５１乃至５３と被接合部６１とが一旦接合された後も、引掛け部である被接合部６１を、引っ掛けられている接合部５１乃至５３の折返し部５１ａ乃至５３ａの開放先端側に移動させた後、半径方向の外側に変位させることで、被接合部６１を接合部５１乃至５３から取り外すことができる。
【００６７】
さらに、これら各接合部５１，５２，５３と被接合部６１とは、いずれかの接合部５１，５２，５３と被接合部６１とが一旦接合されると、その接合されたいずれかの接合部５１，５２，５３と被接合部６１とは、腕体１０の面内で相対的に回動可能となっている。
【００６８】
そして、各接合部５１，５２，５３と被接合部６１とが相対的に回動可能であることにより、腕帯１０を被検部である上腕に装着して締め付けたときに、腕体１０を、円錐台状の形状を呈した上腕部に沿った状態で装着することができる。
【００６９】
すなわち、被検者である人の上腕部は、茶筒のような、その中心軸に沿ったいずれの位置における断面の面積も略等しい筒状ではなく、肩側に位置する腕の付け根部分から前腕部側の先端に向かって細くなる円錐台のような形状となっている。
【００７０】
一方、腕帯１０が、上述したような茶筒のような単なる筒状のままで、径が拡縮するものであると仮定すると、締付ベルト２０の送り量をどのように調整しても、その腕帯１０は上腕部１０のわずかな一部にしか接触するに過ぎず、この状態のままで血圧の測定に供しても、腕帯１０が上腕部の形状に沿って適切に密着することができないため、空気を供給しても腕帯１０が上腕部を適切に圧迫することができ、血圧の測定精度を高めることができない。
【００７１】
しかし、本実施形態の血圧計用腕帯１００は、接合部５１，５２，５３と被接合部６１とは、腕体１０の面内で相対的に回動可能となるため、腕体１０が、円錐台状の形状を呈した上腕部に沿った状態で適切に密着して装着されるため、空気が供給された腕帯１０が上腕部を適切に圧迫することができ、血圧の測定精度を向上させることができる。
【００７２】
なお、各接合部５１，５２，５３と被接合部６１とが互いに接合された状態で相対的に回動可能な構成としては、上述した構成のもの（一方が腕体１０の面から突出した突部であり、他方がこの突部に緩く（両者間の摩擦力が、互いに回動し得る程度に低減されている緩さを意味する）引っ掛けられる環状や半円の環状に形成された引掛け部などとからなる構造（構成）など）に限定されるものではなく、接合状態の両者（各接合部５１，５２，５３、被接合部６１）が、腕体１０の面内で回動可能な構造（構成）であれば、上述した実施形態の構成のものに類する種々の構造（構成）を適用することができる。
【００７３】
次に、本実施形態の血圧計用腕帯１００の作用、効果について説明する。
【００７４】
まず、この血圧計用腕帯１００は、図１に示すように、腕帯１０が展開状態とされているとともに、締付機構３０は締付ベルト２０の一方の端部２２の側（締付機構３０の弦巻バネ３４の弾性復元力が小さい側（プレロードが作用している側））に寄せられていて、この状態で、被検者の上腕部に巻き付けられる。
【００７５】
この被検者の上腕部に腕帯を巻き付ける際の腕帯１０は、図５（ａ）に示すように展開状態であるため、手先側から前腕部を通って上腕部に至らせる必要がなく、したがって、手首や前腕部を太いギブスで固定していたり、前腕部に点滴のチューブやギブスを吊る紐などが取り付けられているなどして、あらかじめ筒状に形成された腕帯では上腕部にセットできない状況にあっても、本実施形態の血圧計用腕帯１００によれば、被検者の上腕部にセットすることができる。
【００７６】
被検者の上腕部に腕帯１０が巻き付けられる際は、この腕帯１０は、図２に示すように、腕帯１０の一方の端部１１（接合部５０が設けられている側の端部）が他方の端部１２（締付機構３０が設けられている側の端部）よりも内周側に位置するように、被検者の上腕部の太さに応じた径Ｄの筒状に丸められる。
【００７７】
そして、腕帯１０の一方の端部１２の内周面側に重なり合う他方の端部１１の側の外周面の領域に設けられた３つの接合部５１，５２，５３のうちいずれかと、締付機構３０の支持部材６０のうち腕帯１０の内周面側に配置された略Ｕ字形状の引掛け部である被接合部６１とが接合されて、この腕帯１０は筒状に形成される。
【００７８】
ここで、被接合部６１が接合される相手の接合部５１，５２，５３は、３つの接合部５１，５２，５３のうち、それに対向する被接合部６１に最も近い１つ、または被接合部６１に近い２つの接合部５１，５２のうち端部１１に近い側の接合部５１若しくは被接合部６１に近い２つの接合部５２，５３のうち端部１１に近い側の接合部５２が選択される。
【００７９】
なお、このようにいずれかの接合部５１，５２，５３と被接合部６１とを接合させた後に、締付機構３０を操作して腕帯１０の径を縮小させることになるため、この径Ｄを縮小させるための移動代を確保するために、被接合部６１に接合されるいずれかの接合部５１，５２，５３を選択するに際しては、腕帯１０の径Ｄが小さくなる側の接合部５０を選択するのではなく、腕帯１０の径Ｄが大きくなる側の接合部５０を選択する必要がある。
【００８０】
例えば、図２においては、最も太い径Ｄに対応して、端部１１に最も近い側の接合部５１が選択されて、この接合部５１に被接合部６１が接合された状態とされ、図５（ｂ）においては、中間の径Ｄに対応して、端部１１に最も近い側の接合部５１と端部１１に最も遠い側の接合部５３との間に設けられた接合部５２が選択されて、この接合部５２に被接合部６１が接合された状態とされている。
【００８１】
また、最も細い径Ｄに対応するときは、端部１１に最も遠い側の接合部５３が選択されて、この接合部５３に被接合部６１が接合されればよい。
【００８２】
このように、被接合部６１といずれかの接合部５１，５２，５３とが接合されることで締付機構３０が腕帯１０に接合されて腕帯１０は筒状に形成され、この状態で、被検者自身が、または看護師等の操作者が、締付機構３０のダイヤル撮み３２を、図２において時計回り（図４において反時計回り）に回して、同軸のピニオンギヤ３１を回転させると、このピニオンギヤ３１に噛み合ったラック２３がピニオンギヤ３１に対して矢印Ｌａ方向（図２、図４、図５（ｂ）参照）に相対的に送られるが、締付ベルト２０の一端部２１が腕帯１０に固定され、かつ締付機構３０は腕帯１０に接合されているため、ラック２３が相対的に矢印Ｌａ方向に送られることによって、図６の実線で示すように、締付機構３０に対して締付ベルト２０の一端部２１が近づいてくるため、筒状の周長が短くなり（腕帯１０の内周側と外周側との重なり範囲が長くなり）、これにより、腕帯１０の径Ｄが縮小される。
【００８３】
また、締付ベルト２０の突条２４には、弦巻バネ４３による付勢力により係合位置（突条２４に係合する位置）に付勢された係合爪４２が係合するため、ラック２３を所定長送って腕帯１０の径Ｄを所定量縮小した任意の状態で保持することができる。
【００８４】
そして、径Ｄを所定量まで縮小した後に、図示しないエアホースを介してエアホース接続部１９（図１参照）から腕帯１０の空気袋１４に空気が供給されることによって、この腕帯１０が巻き付けられた被検者の上腕部を圧迫し、血圧測定に供することが可能となる。
【００８５】
また、血圧測定の操作が終了した後は、空気袋１４内の空気が排出され、その後、操作者が、係合・解除機構４０の弦巻バネ４３の弾性力に抗してリリースレバー４１を押し下げる荷重を付与することで、リリースレバー４１と一体的に形成された係合爪４２が解除位置に移動し、これによって、締付ベルト２０と締付機構３０との相対的な位置関係の保持が解除される。
【００８６】
すると、ピニオンギヤ３１の所定量の回転によって締付機構３０の弦巻バネ３４に蓄えられた弾性エネルギが弾性復元力として解放され、これによって、ピニオンギヤ３１は、ダイヤル撮み３２を回転させる以前の位置、すなわち、図６の二点鎖線に示すように、締付機構３０が締付ベルト２０の一方の端部２２の側（締付機構３０の弦巻バネ３４の弾性復元力が小さい側（プレロードが作用している側））まで戻され（ラック２３（締付ベルト２０）が相対的に矢印Ｌｂ方向に戻され）、腕帯１０の径Ｄが拡大した状態とされる。
【００８７】
そして、上腕部の被検部から手先まで、筒状のままで腕帯１０を引き抜くことができる場合は、そのように手先から引き抜かれ、一方、手先から引き抜くことができない状況（例えば、手首や前腕部にギブスをしていたり、肘を真っ直ぐに伸ばせない状態等）では、図５（ａ）に示すように、被接合部６１と接合部５０との接合を解除する（被接合部６１を接合部５０から取り外す）ことにより、腕帯１０を上腕部等の被検部分から取り外される。
【００８８】
以上のように、本実施形態の血圧計用腕帯１００によれば、腕帯１０の周方向Ｌの所定位置（Ｌ１，Ｌ２，Ｌ３）にそれぞれ設けられた接合部５１，５２，５３のいずれかと、締付機構３０の被接合部６１とは互いに着脱可能であり、被接合部６１をいずれかの接合部５１，５２，５３と接合することで、上述した帯状の腕帯１０を筒状に丸めた状態とすることができ、一方、被接合部６１を接合部５１，５２，５３から外して接合部５１，５２，５３に接合しない状態としたときは、腕帯１０は、閉じた筒状に維持されることがないため、筒状に形成される以前の、両端部１１，１２が開いた帯状に戻すことができる。
【００８９】
これにより、本実施形態１の血圧計用腕帯１００を、筒状のままで手先から腕に通すことが困難な状況（例えば、手首や前腕部にギブスをしていたり、肘を真っ直ぐに伸ばせない状態等）でも、血圧測定に供することができる。
【００９０】
また、本実施形態の血圧計用腕帯１００は、接合部５０として、腕帯１０の周方向Ｌの互いに異なる３つの位置（Ｌ１，Ｌ２，Ｌ３）に設けられていて、それぞれの接合部５０と、締付機構３０の被接合部６１とは互いに着脱可能であり、被接合部６１は、各接合部５０のうちいずれとも接合することが可能であるため、被接合部６１を、接合部５０のうちいずれか一つと接合することで、上述した帯状の腕帯１０を筒状に丸めた状態とすることができ、一方、被接合部６１を接合部５０から外して、いずれの接合部５０にも接合しない状態としたときは、腕帯１０は閉じた筒状に維持されることがないため、筒状に形成される以前の、両端部１１，１２が開いた帯状に戻すことができる。
【００９１】
しかも、接合部５０は、腕帯１０の周方向Ｌの互いに異なる位置（Ｌ１，Ｌ２，Ｌ３）に設けられているため、被接合部６１が選択的に接合される接合部５０に応じて、腕帯１０の周方向Ｌにおける締付機構３０の接合位置が変化し、これによって、締付機構３０の位置と締付ベルト２０の固定された一端部２１との間の距離（周方向Ｌに沿った距離）が段階的に変化する。
【００９２】
すなわち、被接合部６１が選択的に接合される接合部５０に応じて、筒状の腕帯１０の初期的な径Ｄが段階的に変化する。
【００９３】
したがって、初期的な径Ｄからの締付機構３０に対する操作量（ダイヤル撮み３２の回転量）が同じであっても、操作後の腕帯１０の径Ｄは異なるものとなる。
【００９４】
よって、被検者の腕の太さの違いに応じて、被接合部６１を接合する接合部５０を選択することで、初期的な径Ｄからの、締付機構３０に対する操作量を少なくしても、腕の太さの違いに適切に適合させることができる。
【００９５】
つまり、本実施形態の血圧計用腕帯１００は不特定の被検者に使用されることが想定されているが、被検者の腕の太さは様々であるから、締付けベルト２０のラック２３の長さ（締付けベルト２０の送り量）も、その腕の太さの違いを考慮して、比較的長く設定しておく必要がある。
【００９６】
一方、血圧の測定が完了した後の腕帯１０は、この腕帯１０を腕から簡単に取り外せるように、リリースレバー４１を押すだけの簡単な操作で、締付けベルト２０が初期状態まで戻るように構成されているが、次に使用する被検者の腕が細い場合は、その腕の径Ｄに適合させるための締付けベルト２０の必要な送り量が長くなり、それだけ長い送り量を得るための締付機構３０に対する操作量も多くする必要があり、操作する使用者に煩わしさを感じさせることがある。
【００９７】
特に、この血圧計用腕帯１００を使用する被検者が特定の人に限られているような家庭内での使用の場合は、使用の都度、締付機構３０の操作量が多いと、使用者に強いる負担が大きい。
【００９８】
また、医療現場においても、腕の細い被検者が連続する場合は、家庭内での使用の場合と同様のことが起こり得る。
【００９９】
しかし、本実施形態の血圧計用腕帯１００によれば、腕の太さの如何に拘わらず締付のための操作量を減らすことができる。
【０１００】
また、本実施形態の血圧計用腕帯１００は、接合部５０が、筒状に丸められた腕帯１０のうち、腕帯１０の径Dを縮小させた状態において筒状の内周面側に重なり合う外周面の領域に設けられ、締付機構３０が、その締付機構３０の本体（ピニオンギヤ３１、ダイヤル撮み３２を含む部分）を筒状の外周面側に配置し、被接合部６１を筒状の内周面側に配置する、筒状の腕帯１０のうち筒状の外周面側の部分を跨ぐ形状の支持部材６０を備えているため、使用者の操作に供される部分であるダイヤル撮み３２を、操作が行い易い外方に配置することができるとともに、筒状の内周側に配置された接合部５０に被接合部６１を確実に接合し、あるいは接合の解除を行うことができる。
【０１０１】
本実施形態に係る血圧計用腕帯１００においては、係合・解除機構４０は、締付機構３０とともに筒状の外周面側に配置されるように、支持部材６０に支持されているため、締付の操作が入力される部分（ダイヤル撮み３２）と締付けを解除する操作が入力される部分（リリースレバー４１）とを近接して配置することができ、操作部分を一カ所に集中させた構造とすることができる。
【０１０２】
本実施形態の血圧計用腕帯１００においては、各接合部５１，５２，５３は、筒状の周方向Ｌであって筒状の巻きの内周から外周に向かう向きに折返し部５１ａ，５２ａ，５３ａが形成され、被接合部６１は、これら各折返し部５１ａ，５２ａ，５３ａに引っ掛けられる引掛け部（略Ｕ字状の部分）が形成されているため、血圧測定に供する際に、腕帯１０の径Ｄを小さくする方向に締付ベルト２０を送るときは、折返し部５１ａ，５２ａ，５３ａと引掛け部（被接合部６１）とが係合して、接合部５０と被接合部６１とを接合した状態とすることができる一方、血圧測定が完了して、腕帯の径Ｄを大きくする方向に締付ベルト２０を送るときは、折返し部５１ａ，５２ａ，５３ａと引掛け部（被接合部６１）との係合が外れ易くなり、接合部５０と被接合部６１との接合を解除し易くすることができ、次の血圧測定操作への準備に供し易い。
【０１０３】
本実施形態に係る血圧計用腕帯１００においては、係合・解除機構４０は、締付機構３０と、基台３３を介して一体的に設けられているため、係合・解除機構４０と締付機構３０とを直接的に一体化して、部品点数を削減することができる。
【０１０４】
本実施形態に係る血圧計用腕帯１００においては、締付ベルト２０は、外方に露出する表面２０ａが平滑に形成されているため、表面に凹凸が露出しているものに比べて、表面に汚れなどが付着しにくく、清潔な状態を維持し易いものとすることができる。
【０１０５】
また、腕帯１０に対向する裏面２０ｂのうち締付ベルト２０の縁部にラック２３が形成され、腕帯１０に対向する裏面２０ｂのうち締付ベルト２０の縁部よりも幅方向Ｗの内側部分に、ラック２３に連なるように突条２４が形成されているため、締付ベルト２０の突条２４間およびラック２３間にそれぞれ形成された薄肉部２５（図３（ｂ）参照）が締付ベルト２０の幅方向Ｗに沿って一直線上に形成され、この薄肉部２５はラック２３や突条２４よりも剛性が低いため、図３（ｄ）に示すように、締付ベルト２０をその長手方向Ｌ（幅方向Ｗに対して略直交する方向）について巻いたとき、小さな径で丸めることができるため、血圧計用腕帯１００の全体の占有スペースを小さくすることができる。
【符号の説明】
【０１０６】
１０ 可撓性腕帯
２０ 締付ベルト
２３ ラック
３０ 締付機構
３１ ピニオンギヤ
４０ 係合・解除機構
５０，５１，５２，５３ 接合部
６１ 被接合部
１００ 血圧計用腕帯
【図１】
0005404446.tif 000002
【図２】
0005404446.tif 000003
【図３】
0005404446.tif 000004
【図４】
0005404446.tif 000005
【図５】
0005404446.tif 000006
【図６】
0005404446.tif 000007